(57)【要約】【課題】支持部品の係止片が縦棒の係合孔に挿設され、枠体の中段に直接に新しい受け板を増設でき、受け板数の調整が便利になる枠体の構造を提供する。【解決手段】縦棒と支持枠とが、係合部品が係合孔に嵌入され、支持部品が係合孔に嵌入され、また、受け板が支持枠と支持部品の上に敷かれることにより、結合される枠体の構造であって、縦棒の棒体に等間隔に複数の係合孔が配列され、支持枠の各屈曲位置に係合孔が設けられ、上記係合部品の内端面に係合ブロックが突出し、上記係合部品の両端に凹凸の連結端が形成され、支持部品の両側において下へ湾曲して二つの支持端が形成され、また、支持部品において斜めに支持端の方向に向う係止片が伸びる。【選択図】図２
0003149658.tif 000002
【実用新案登録請求の範囲】
【請求項１】
縦棒と支持枠とが、係合部品が係合孔に嵌入され、支持部品が係合孔に嵌入され、また、受け板が支持枠と支持部品の上に敷かれることにより、結合される枠体の構造であって、
縦棒の棒体に、等間隔に複数の係合孔が配列され、支持枠の各屈曲位置に係合孔が設けられ、上記係合部品の内端面に係合ブロックが突出し、上記係合部品の両端に凹凸の連結端が形成され、支持部品の両側において下へ湾曲して二つの支持端が形成され、また、支持部品において斜めに支持端の方向に向う係止片が伸びる、ことを特徴とする枠体の構造。
【請求項２】
縦棒が多辺形棒体であり、その上記係合孔が同時に縦棒の二端面に設置されることを特徴とする請求項１に記載の枠体の構造。
【請求項３】
縦棒が多辺形棒体であり、その係合孔が同時に縦棒の三端面に形成されることを特徴とする請求項１に記載の枠体の構造。
【請求項４】
係合部品の間において、互いに連結端で縦棒の係合孔に係合することを特徴とする請求項１に記載の枠体の構造。
【請求項５】
支持部品の係止片が縦棒の係合孔に挿入され、支持端が縦棒に抵当するように、構成されることを特徴とする請求項１に記載の枠体の構造。
【考案の詳細な説明】
【技術分野】
【０００１】
本考案は、枠体の構造に関し、特に、支持部品の係止片が縦棒の係合孔に挿設されて、枠体の中段に直接に新しい受け板を実装できるものに関する。
【背景技術】
【０００２】
図６と７は、従来の枠体構造であり、主として、縦棒６０に、ハブ７０が実装されて、荷台８０が設置され、縦棒６０の棒体に、複数の等間隔に配列された係止槽６１が形成され、ハブ７０は、内部に、係止槽６１に合わせる係合ブロック７１が形成され、中央に、コンパクト槽７２が形成され、また、ハブ７０は、コンパクト槽７２の開口端から下へ向って拡大する斜面に形成され、斜面の末端に、下行き止め縁７３が設置され、荷台８０の辺縁に、係合孔８１が形成され、
上記縦棒６０は、四隅において、荷台８０に支持され、そのハブ７０が、二つずつ対応するように縦棒６０に係合され、ハブ７０が、辺縁にある連結端７４により固定され、また、ハブ７０の係合ブロック７１が、縦棒６０の係止槽６１に係合され、上記荷台８０が、上端から設置され、また、荷台８０の係合孔８１に、縦棒６０が嵌設され、その係合孔８１の内壁が、ハブ７０の外壁に抵当し、斜面の接触により、枠体が組立てられる。
【０００３】
上記の従来構造は、次の理由による問題点がある。
【０００４】
１、上記縦棒６０は、四隅を利用して荷台８０が実装され、また、荷台８０が、上端から縦棒６０に嵌設され、その係合孔８１の内壁が、ハブ７０の外壁に抵当するように組立てられるため、例えば、荷台８０の数を追加する場合、枠体を外して組立て直さなければならないから、荷台８０数を調整することが不便で、実用性がよくない。
【０００５】
２、その係合孔８１の内壁が、ハブ７０の外壁に抵当し、その間の斜度により固定されるため、係合孔８１が小さすぎると、その下行き止め縁７３に抵当できなく、また、上記係合孔８１が大きすぎると、その下行き止め縁に抵当できるが、係合孔８１とハブ７０との間に、隙間が形成されて、枠体が、安定的にならなく、揺れるようになる。
【０００６】
本考案者は、上記欠点を解消するため、慎重に研究し、また、学理を活用して、有効に上記欠点を解消でき、設計が合理である本考案を提案する。
【考案の開示】
【考案が解決しようとする課題】
【０００７】
本考案の主な目的は、その縦棒が、四隅に配列され、また、横方向に支持枠で連結し、上記支持枠が、ともに、上から下へ嵌設されて固定され、組立てた後、直接に、支持部品の係止片を縦棒の係合孔に挿設することにより、枠体の中段に、直接に新しい受け板を増設でき、受け板数の調整が便利で、実用性が向上される枠体の構造を提供する。
【０００８】
本考案の他の目的は、その其係合部品の係合ブロックが、係合孔内に位置し、また、支持枠が、係合孔により縦棒に嵌設され、そして、係合孔が、係合部品に抵当して係合され、また、上記係合部品の外表面と係合孔の内表面が、斜度を利用して係合されるため、上記支持枠に印加した力が大きければ、係合孔と係合部品の係止が緊密になり、これにより、支持枠と係合部品との隙間の生成を防止でき、枠体の揺れを防止できる枠体の構造を提供する。
【課題を解決するための手段】
【０００９】
請求項１の考案は、縦棒と支持枠とが、係合部品が係合孔に嵌入され、支持部品が係合孔に嵌入され、また、受け板が支持枠と支持部品の上に敷かれることにより、結合される枠体の構造であって、縦棒の棒体に等間隔に複数の係合孔が配列され、支持枠の各屈曲位置に係合孔が設けられ、上記係合部品の内端面に係合ブロックが突出し、上記係合部品の両端に凹凸のような連結端が形成され、支持部品の両側において、下へ湾曲して二つの支持端が形成され、また、支持部品において、斜めに支持端の方向に向う係止片が伸びる、ことを特徴とする枠体の構造である。
【００１０】
請求項２の考案は、縦棒が多辺形棒体であり、その上記係合孔が同時に縦棒の二端面に設置されることを特徴とする請求項１に記載の枠体の構造である。
【００１１】
請求項３の考案は、縦棒が多辺形棒体であり、その係合孔が同時に縦棒の三端面に形成されることを特徴とする請求項１に記載の枠体の構造である。
【００１２】
請求項４の考案は、係合部品の間において互いに連結端で、縦棒の係合孔に係合することを特徴とする請求項１に記載の枠体の構造である。
【００１３】
請求項５の考案は、支持部品の係止片が縦棒の係合孔に挿入され、支持端が縦棒に抵当するように、構成されることを特徴とする請求項１に記載の枠体の構造である。
【００１４】
以下、図面を参照しながら、本考案の特徴や技術内容について、詳しく説明するが、それらの図面等は、参考や説明のためであり、本考案は、それによって制限されることが無い。
【考案を実施するための最良の形態】
【００１５】
図１乃至図３を参照しながら、本考案は、縦棒１０と支持枠２０とが、係合部品３０が係合孔１１内に嵌入され、支持部品４０が係合孔１１に嵌入され、また、受け板５０が、支持枠２０と支持部品４０の上に敷かれることにより、結合される。
【００１６】
図１と図２を参照しながら、縦棒１０は、多辺形棒体であり、その縦棒１０の棒体に、等間隔に、複数の係合孔１１が配列され、上記係合孔１１が、同時に、縦棒１０の二つの端面に設置されてもよく、また、係合孔１１が、同時に、縦棒１０の三つの端面に設置されてもよく、支持枠２０の各屈曲位置に、係合孔２１が設けられ、その係合孔２１の口径が、下へ向って拡大し、係合部品３０が、Ｌ形状片体であり、上記係合部品３０の内端面に、係合ブロック３１が突出し、また、上記係合部品３０の両端に、凹凸の連結端３２が形成され、支持部品４０の両側において、下へ湾曲して二つの支持端４１が形成され、また、支持部品４０において、斜めに支持端４１の方向に向う係止片４２が伸びる。
【００１７】
本考案によれば、図２乃至図４のように、縦棒１０が、四隅に配列され、横方向に支持枠２０で連結し、上記に連結する時、二つの係合部品３０が、対向して連結端３２で、縦棒１０の係合孔１１に係合し、また、係合部品３０の係合ブロック３１が、係合孔１１に位置し、上記の四隅に配列された縦棒１０に、ともに、同じ水平高さで、係合部品３０が設置され、また、支持枠２０は、係合孔２１に、縦棒１０が嵌設され、また、係合孔２１が、係合部品３０に抵当して係止され、また、上記係合部品３０の外表面が、係合孔２１の内表面に、斜度をもって係合し、そして、支持部品４０の係止片４２が、縦棒１０の係合孔１１に挿入され、上記の四隅に配列された縦棒１０は、同じ水平高さで、支持部品４０が設置され、また、支持端４１が、縦棒１０に抵当することにより、組立てられ、最後に、受け板５０をそれぞれ、支持枠２０と支持部品４０の上に敷かれ、以上のように、本考案が組立てる。
【００１８】
図２と図６は、本考案の他の実用状態であり、縦棒１０が、四隅に配列され、横方向に支持枠２０で連結され、上記縦棒１０の上端に、卓面５１が設置されてもよく、これにより、卓形態に適用できる。
【００１９】
上記の具体的な実施例の構造によれば、次の利点が得られ、１、縦棒１０が、四隅に配列され、横方向に支持枠２０で連結され、上記支持枠２０が、ともに、上から下へ嵌設されて固定されるため、組立てられた後、直接に、支持部品４０の係止片４２を縦棒１０の係合孔１１に挿設することにより、枠体の中段に、直接に新しい受け板５０を増設でき、即ち、受け板５０数の調整が便利になり、実用性が向上され、２、その係合部品３０の係合ブロック３１が、係合孔１１内に位置し、また、支持枠２０が、係合孔２１で、縦棒１０に嵌設され、また、係合孔２１が、係合部品３０に抵当して係止され、そして、上記係合部品３０の外表面が、係合孔２１の内表面と、斜度を持って係合するため、上記支持枠２０に印加した力が大きければ、係合孔２１と係合部品３０の係止が、緊密になり、即ち、支持枠２０と係合部品３０の隙間の生成を防止でき、枠体の揺れを防止できる。
【００２０】
そのため、本考案は、より進歩的かつより実用的で、法に従って実用新案登録請求を出願する。
【００２１】
以上は、ただ、本考案のより良い実施例であり、本考案は、それによって制限されることが無く、本考案に係わる考案登録請求の範囲や明細書の内容に基づいて行った等価の変更や修正は、全てが、本考案の考案登録請求の範囲内に含まれる。
【図面の簡単な説明】
【００２２】
【図１】本考案の立体図
【図２】本考案の立体分解図
【図３】本考案の局部断面図
【図４】本考案の側面断面図
【図５】本考案の他の使用状態の概念図
【図６】従来の立体分解図
【図７】従来の側面断面図
【符号の説明】
【００２３】
１０  縦棒
１１  係合孔
２０  支持枠
２１  係合孔
３０  係合部品
３１  係合ブロック
３２  連結端
４０  支持部品
４１  支持端
４２  係止片
５０  受け板
５１  卓面
従来
６０  縦棒
６１  係止槽
７０  ハブ
７１  係合ブロック
７２  コンパクト槽
７３  下行き止め縁
７４  連結端
８０  荷台
８１  係合孔
【図１】
0003149658.tif 000003
【図２】
0003149658.tif 000004
【図３】
0003149658.tif 000005
【図４】
0003149658.tif 000006
【図５】
0003149658.tif 000007
【図６】
0003149658.tif 000008
【図７】
0003149658.tif 000009
【手続補正書】
【提出日】平成21年1月29日(2009.1.29)
【手続補正１】
【補正対象書類名】実用新案登録請求の範囲
【補正対象項目名】請求項５
【補正方法】変更
【補正の内容】
【請求項５】
支持部品の係止片が縦棒の係合孔に挿入され、支持端が縦棒に当接するように、構成されることを特徴とする請求項１に記載の枠体の構造。
【手続補正２】
【補正対象書類名】明細書
【補正対象項目名】０００２
【補正方法】変更
【補正の内容】
【０００２】
図６と７は、従来の枠体構造であり、主として、縦棒６０に、ハブ７０が実装されて、荷台８０が設置され、縦棒６０の棒体に、複数の等間隔に配列された係止槽６１が形成され、ハブ７０は、内部に、係止槽６１に合わせる係合ブロック７１が形成され、中央に、コンパクト槽７２が形成され、また、ハブ７０は、コンパクト槽７２の開口端から下へ向って拡大する斜面に形成され、斜面の末端に、下行き止め縁７３が設置され、荷台８０の辺縁に、係合孔８１が形成され、
上記縦棒６０は、四隅において、荷台８０に支持され、そのハブ７０が、二つずつ対応するように縦棒６０に係合され、ハブ７０が、辺縁にある連結端７４により固定され、また、ハブ７０の係合ブロック７１が、縦棒６０の係止槽６１に係合され、上記荷台８０が、上端から設置され、また、荷台８０の係合孔８１に、縦棒６０が嵌設され、その係合孔８１の内壁が、ハブ７０の外壁に当接し、斜面の接触により、枠体が組立てられる。
【手続補正３】
【補正対象書類名】明細書
【補正対象項目名】０００４
【補正方法】変更
【補正の内容】
【０００４】
１、上記縦棒６０は、四隅を利用して荷台８０が実装され、また、荷台８０が、上端から縦棒６０に嵌設され、その係合孔８１の内壁が、ハブ７０の外壁に当接するように組立てられるため、例えば、荷台８０の数を追加する場合、枠体を外して組立て直さなければならないから、荷台８０数を調整することが不便で、実用性がよくない。
【手続補正４】
【補正対象書類名】明細書
【補正対象項目名】０００５
【補正方法】変更
【補正の内容】
【０００５】
２、その係合孔８１の内壁が、ハブ７０の外壁に当接し、その間の斜度により固定されるため、係合孔８１が小さすぎると、その下行き止め縁７３に当接できなく、また、上記係合孔８１が大きすぎると、その下行き止め縁に当接できるが、係合孔８１とハブ７０との間に、隙間が形成されて、枠体が、安定的にならなく、揺れるようになる。
【手続補正５】
【補正対象書類名】明細書
【補正対象項目名】０００８
【補正方法】変更
【補正の内容】
【０００８】
本考案の他の目的は、その其係合部品の係合ブロックが、係合孔内に位置し、また、支持枠が、係合孔により縦棒に嵌設され、そして、係合孔が、係合部品に当接して係合され、また、上記係合部品の外表面と係合孔の内表面が、斜度を利用して係合されるため、上記支持枠に印加した力が大きければ、係合孔と係合部品の係止が緊密になり、これにより、支持枠と係合部品との隙間の生成を防止でき、枠体の揺れを防止できる枠体の構造を提供する。
【手続補正６】
【補正対象書類名】明細書
【補正対象項目名】００１３
【補正方法】変更
【補正の内容】
【００１３】
請求項５の考案は、支持部品の係止片が縦棒の係合孔に挿入され、支持端が縦棒に当接するように、構成されることを特徴とする請求項１に記載の枠体の構造である。
【手続補正７】
【補正対象書類名】明細書
【補正対象項目名】００１７
【補正方法】変更
【補正の内容】
【００１７】
本考案によれば、図２乃至図４のように、縦棒１０が、四隅に配列され、横方向に支持枠２０で連結し、上記に連結する時、二つの係合部品３０が、対向して連結端３２で、縦棒１０の係合孔１１に係合し、また、係合部品３０の係合ブロック３１が、係合孔１１に位置し、上記の四隅に配列された縦棒１０に、ともに、同じ水平高さで、係合部品３０が設置され、また、支持枠２０は、係合孔２１に、縦棒１０が嵌設され、また、係合孔２１が、係合部品３０に当接して係止され、また、上記係合部品３０の外表面が、係合孔２１の内表面に、斜度をもって係合し、そして、支持部品４０の係止片４２が、縦棒１０の係合孔１１に挿入され、上記の四隅に配列された縦棒１０は、同じ水平高さで、支持部品４０が設置され、また、支持端４１が、縦棒１０に当接することにより、組立てられ、最後に、受け板５０をそれぞれ、支持枠２０と支持部品４０の上に敷かれ、以上のように、本考案が組立てる。
【手続補正８】
【補正対象書類名】明細書
【補正対象項目名】００１９
【補正方法】変更
【補正の内容】
【００１９】
上記の具体的な実施例の構造によれば、次の利点が得られ、１、縦棒１０が、四隅に配列され、横方向に支持枠２０で連結され、上記支持枠２０が、ともに、上から下へ嵌設されて固定されるため、組立てられた後、直接に、支持部品４０の係止片４２を縦棒１０の係合孔１１に挿設することにより、枠体の中段に、直接に新しい受け板５０を増設でき、即ち、受け板５０数の調整が便利になり、実用性が向上され、２、その係合部品３０の係合ブロック３１が、係合孔１１内に位置し、また、支持枠２０が、係合孔２１で、縦棒１０に嵌設され、また、係合孔２１が、係合部品３０に当接して係止され、そして、上記係合部品３０の外表面が、係合孔２１の内表面と、斜度を持って係合するため、上記支持枠２０に印加した力が大きければ、係合孔２１と係合部品３０の係止が、緊密になり、即ち、支持枠２０と係合部品３０の隙間の生成を防止でき、枠体の揺れを防止できる。